(57)【要約】【課題】  可変長を含む任意のビットレートで圧縮符号化されたストリーム信号を、擬似同期信号によるノイズの発生を最小限に抑えて再生する。【解決手段】  同期信号検出部９１に、ヘッダ情報解析器４２から出力されるストリーム種類情報をカウントするストリーム種類カウンタ１００と、前記ストリーム種類カウンタ１００の値に基づいて信号処理部９０にストリーム変換の開始を指示するストリーム種類判定部１０１とを搭載しておき、前記ストリーム種類カウンタ１００の値が所定の値に達した場合には、入力信号がストリーム信号であると判定し、所定の値に達していない場合には、同期アドレス格納部４３に格納されているアドレスよりも１ビット進んだところから同期信号の検出を再開する。【選択図】  図１６
2005259220.tif 000002
【特許請求の範囲】
【請求項１】
任意のビットレートで圧縮符号化され、単位処理フレームの始まりを示す同期信号と前記ビットレートの情報を示すフレームヘッダとが前記ビットレートにより決められた間隔で記録されているストリーム信号、又はＰＣＭデジタル音響信号の何れか一方を含む入力信号を入力する信号入力部と、
前記入力された入力信号から前記同期信号の検出を行うことにより前記入力信号の種類を判定する同期信号検出部と、
前記入力信号の種類に応じて前記同期信号検出部の動作条件を設定し、且つ出力を決定する出力情報を出力するホストコントローラと、
前記出力情報に応じた信号処理を前記入力信号に対して行う信号処理部と、
前記信号処理部で信号処理されたデータを出力する出力調整部とを備えていることを特徴とする再生装置。
【請求項２】
請求項１に記載された再生装置において、
複数種類の前記入力信号の信号処理を行うように構成されていることを特徴とする再生装置。
【請求項３】
請求項１又は２に記載された再生装置において、
前記同期信号検出部は、
前記入力信号のデータの量をカウントし、前記入力信号のアドレスを出力するデータカウンタと、
前記入力信号から前記同期信号を検出し、当該検出結果を示す検出信号を出力する同期信号検出器と、
前記検出信号に応答して、前記データカウンタから出力される前記同期信号の先頭のアドレスを格納する同期アドレス格納部と、
前記検出信号に応答して、連続して前記同期信号が入力されたときにカウントアップする同期信号カウンタ部と、
前記検出信号に応答して、前記同期信号の後に続くフレームヘッダ情報からビットレートを算出し、次の同期信号までのアドレス間隔を算出するヘッダ情報解析部と、
前記ヘッダ情報解析部の算出結果に基づいて次回同期信号のアドレスを算出し、当該アドレスデータを格納する次回同期信号アドレス格納部と、
前記次回同期信号アドレス格納部に格納されたアドレスデータと前記データカウンタの値とが一致したときに、前記同期信号検出器に対して同期信号の検出開始の判定を出力する同期信号比較開始判定部と、
前記同期信号カウンタ部の値に基づいて、前記入力信号が前記ストリーム信号であるか前記ＰＣＭデジタル音響信号であるかを判定し、判定情報を出力する判定出力部とを含むことを特徴とする再生装置。
【請求項４】
請求項３に記載された再生装置において、
前記出力調整部から出力された出力信号を所定のサンプリング周波数に変換するサンプリング周波数変換器をさらに備えていることを特徴とする再生装置。
【請求項５】
請求項４に記載された再生装置において、
前記同期信号検出部は、
前記ヘッダ情報解析器から出力されるサンプリング情報をカウントするサンプリングカウンタと、
前記サンプリングカウンタの値に基づいて、前記サンプリング周波数変換器にサンプリング周波数変換の開始を指示するサンプリング周波数判定部とをさらに備えていることを特徴とする再生装置。
【請求項６】
請求項３に記載された再生装置において、
前記同期信号検出部は、
前記ヘッダ情報解析器から出力されるストリーム種類情報をカウントするストリーム種類カウンタと、
前記ストリーム種類カウンタの値に基づいて、前記信号処理部にストリーム変換の開始を指示するストリーム種類判定部とをさらに備えていることを特徴とする再生装置。
【請求項７】
請求項１乃至６のうち何れか１項に記載された再生装置において、
前記ホストコントローラは、前記フレームヘッダ情報を解析して解析結果を出力し、前記解析結果に順位付けを行い、前記順位付けに基づいて解析すべき情報の再選択を行う手段を備えていることを特徴とする再生装置。
【請求項８】
請求項１乃至７のうち何れか１項に記載された再生装置の制御方法であって、
入力信号の一部のみをデコードし、
前記入力信号から同期信号を検出し、
前記同期信号の後に続くフレームヘッダ情報から次回の同期信号の位置を算出し、
前記次回の同期信号の位置に前記同期信号が存在すれば、前記入力信号をストリーム信号と判定し、
前記入力信号を前記ストリーム信号と判定できなかった場合には、前記検出された同期信号から所定の値進んだ位置から同期信号の検索を再開し、
前記同期信号の検索を繰り返し、所定の検索範囲内に前記同期信号が検出されない場合には、前記入力信号をＰＣＭデジタル音響信号と判定することを特徴とする再生装置の制御方法。
【請求項９】
請求項５に記載された再生装置の制御方法であって、
前記ヘッダ情報解析器から出力されるサンプリング情報を前記サンプリングカウンタでカウントして、所定の目標値と一致するまでカウントアップし、
前記サンプリングカウンタの値と前記目標値とが一致した場合には、前記サンプリング周波数が安定したと判定し、
前記サンプリング周波数判定部により、前記サンプリング周波数変換器にサンプリング情報を提供することを特徴とする再生装置の制御方法。
【請求項１０】
請求項９に記載された再生装置の制御方法において、
前記サンプリングカウンタの目標値は２以上の値であり、
前記目標値を固定する、又は前記ホストコントローラにより任意に設定することを特徴とする再生装置の制御方法。
【請求項１１】
請求項６に記載された再生装置の制御方法であって、
前記ヘッダ情報解析器から出力されるストリーム種類情報を前記ストリーム種類カウンタでカウントして、所定の目標値と一致するまでカウントアップし、
前記ストリーム種類カウンタの値と前記目標値とが一致した場合には、前記ストリームの種類が安定したと判定し、
前記ストリーム種類判定部により、前記信号処理部にストリーム種類情報を提供することを特徴とする再生装置の制御方法。
【請求項１２】
請求項１１に記載された再生装置の制御方法において、
前記ストリーム種類カウンタの目標値は２以上の値であり、
前記目標値を固定する、又は前記ホストコントローラにより任意に設定することを特徴とする再生装置の制御方法。
【請求項１３】
請求項８乃至１２のうち何れか１項に記載された再生装置の制御方法において、
前記ホストコントローラにより、前記入力信号の入力ビット単位、入力されるデータの範囲、同期信号の再検索開始位置、及び比較するフレームヘッダ情報を任意に設定することを特徴とする再生装置の制御方法。
【請求項１４】
請求項１３に記載された再生装置の制御方法において、
前記入力信号の入力ビット単位は１ビット以上の単位であり、
前記入力ビット単位を固定する、又は前記ホストコントローラにより任意に設定することを特徴とする再生装置の制御方法。
【請求項１５】
請求項１３に記載された再生装置の制御方法において、
前記入力信号の入力されるデータの範囲は１フレーム以上のデータであり、
前記データの範囲を固定する、又は前記ホストコントローラにより任意に設定することを特徴とする再生装置の制御方法。
【請求項１６】
請求項１３に記載された再生装置の制御方法において、
前記入力信号の同期信号の再検索開始位置は、前記検出された同期信号から１ビット以上ずれた位置であり、
前記再検索開始位置を固定する、又は前記ホストコントローラにより任意の値を指定することを特徴とする再生装置の制御方法。
【請求項１７】
請求項１３に記載された再生装置の制御方法において、
前記入力信号の比較するフレームヘッダ情報は１つ以上の情報であり、
前記フレームヘッダ情報を固定する、又は前記ホストコントローラにより任意に設定することを特徴とする再生装置の制御方法。
【請求項１８】
請求項１３に記載された再生装置の制御方法において、
前記入力信号の比較するフレームヘッダ情報の判定条件は、初回のヘッダ情報と次回のヘッダ情報とが一致したときにカウントされるカウンタ情報に基づいており、
前記判定条件を固定する、又は前記ホストコントローラにより任意に設定することを特徴とする再生装置の制御方法。
【発明の詳細な説明】
【技術分野】
【０００１】
本発明は、ＣＤなどのデジタル音響信号を記録したメディアを再生する再生装置及びその制御方法に関し、特にＰＣＭデジタル音響信号や、可変長のビットレートで圧縮符号化されたストリーム信号の再生に関するものである。
【背景技術】
【０００２】
従来、ＣＤなどのメディアに記録されているデジタル音響信号が、任意のビットレートで符号化され前記ビットレート間隔で同期信号をもった音響信号（以下ストリーム信号）であるかＰＣＭデジタル音響信号であるかの判定は、デコード中にデジタル音響信号から検出された同期信号が出現する周期性を調べることにより行われ、各フレーム単位で誤動作防止処理がされていた。しかし、このような処理の場合、実際にデコードしなければストリーム信号であるかＰＣＭデジタル音響信号であるかの判定を行うことができず、ノイズが発生するおそれがあった。
【０００３】
そこで、上記問題を解決するため、デコード処理を行う前に、ある程度の信頼性をもってストリーム信号であるかの判定を行うことにより、デコード処理を行う際にノイズが発生する可能性を低くすることが知られている（例えば、特許文献１参照）。
【０００４】
以下、図１〜図５を参照しながら、従来の技術をＭＰ３フォーマットの音声信号を例として説明する。再生装置に入力される入力信号は、ＰＣＭデジタル音響信号、又は同期信号の後に続くヘッダフレーム情報に含まれる任意のビットレートで圧縮符号化され、そのビットレートの間隔で単位処理フレームの始まりを示す同期信号が記録されているストリーム信号である。
【０００５】
図１は、ＭＰ３フォーマットのストリーム構成を示している。フレーム１は、１２ビットの同期信号２と、前記同期信号２の後に続く２０ビットのヘッダフレーム３と、サブフレーム４とを含む。ＭＰ３の場合、同期信号２は、値“０ｘｆｆｆ”を有している。
【０００６】
前記ヘッダフレーム３は、フレームの長さを決定するビットレート、フレームの種類、タイプ、サンプリング周波数、エンファシスの情報など、フレームの状態を示す情報を含む。ＭＰ３の場合、ビットレートは、値“０ｘ００”から値“０ｘ０ｆ”を有している。なお、ビットレートが値“０ｘ００”及び値“０ｘ０ｆ”を有している場合は、そのビットレートが不定であることを示すものとする。
【０００７】
図２は、ＭＰ３再生装置の構成及び処理の流れを示している。再生装置に入力される入力信号（ＭＰ３ストリーム信号）は、信号入力部１０より入力される。前記入力された信号は、同期信号検出部１１に入力される。
【０００８】
図３は、前記同期信号検出部１１の構成を示している。同期信号検出部１１では、入力信号２８は、入力された信号のビット数をカウントするデータカウンタ２０と、入力信号２８から同期信号を検出する同期信号検出器２１とにそれぞれ１ビット単位で入力される。ここで、入力されるビット数はシステムによって任意のビット数であるが、本説明では１ビット単位で処理を行う。
【０００９】
前記同期信号検出器２１は、現在のデータを含めた過去１２ビットのデータと同期信号とを比較することにより、入力信号から同期信号の検出を行う。本説明では、比較する同期信号は、値“０ｘｆｆｆ”を有している。また、比較する範囲はシステムによって任意の範囲であるが、本説明では２Ｋｂｙｔｅとする。
【００１０】
そして、前記同期信号検出器２１は、初回の同期信号を検出したときに、同期信号の先頭データのアドレス情報を前記データカウンタ２０から初回同期アドレス格納部２３に送るとともに、同期カウンタ格納部２６を０にセットする。さらに、同期信号の後に続くヘッダ情報をヘッダ情報解析器２２に入力する。
【００１１】
前記ヘッダ情報解析器２２は、入力されたヘッダ情報からビットレート情報を解析する。解析されたビットレートが不定でない場合、次回の同期信号までの間隔を算出し、この次回同期信号のアドレスを次回同期信号アドレス格納部２５に格納する。また、ビットレートが不定の場合には、前記同期信号検出器２１で検出された値“０ｘｆｆｆ”は同期信号ではなかったと判断して、前記初回同期アドレス格納部２３に格納されているアドレスよりも所定の値だけ進んだところから同期信号の検出を再開する。本説明では、図４（ａ）に示すように、１ビット進んだところから同期信号の検出を再開する。
【００１２】
次回同期信号比較開始判定部２４は、データカウンタ２０の値が次回同期信号アドレス格納部２５の値と等しくなったときに、同期信号検出器２１に同期信号の検出開始の判定を出力する。
【００１３】
同期信号検出器２１は、入力された信号が同期信号であれば、同期カウンタをインクリメントし、同期カウンタ格納部２６にセットする。入力された信号が同期信号でなかった場合は、ビットレートが不定であった場合と同様に、前記初回同期アドレス格納部２３に格納されているアドレスよりも１ビット進んだところから同期信号の検出を再開する。
【００１４】
図４（ｂ）に示すように、同期信号の検索範囲内において、同期信号カウンタの値が所定の値になった場合をストリーム信号と判断し、入力データが同期信号の検索範囲を越えた場合をＰＣＭデジタル音響信号と判断する。本説明では、所定の値を“２５６”とする。
【００１５】
そして、前記判定された入力信号の種類に応じて出力を決定する出力情報が判定出力部２７に送られる。
【００１６】
図５は、図３に示される同期信号検出部１１における処理の流れを示している。同期信号検出部１１は、ステップＳ４０１〜Ｓ４２０を実行する。
【００１７】
ステップＳ４０１で、所定の検索範囲内に同期信号があるか否かが判定される。その判定は、例えば以下に示される動作によって行われる。
【００１８】
ステップＳ４０１の判定が「ＮＯ」の場合、再生装置に入力された入力信号は、ＰＣＭ信号であると判定し（ステップＳ４０２）、判別動作を終了する。
【００１９】
ステップＳ４０１の判定が「ＹＥＳ」の場合、動作はステップＳ４０３に分岐する。ステップＳ４０３で、同期信号検出器２１に入力された入力データが同期信号であるか否かが判定される。
【００２０】
ステップＳ４０３の判定が「ＹＥＳ」の場合、ステップＳ４０４に進み、データカウンタ２０から初回同期アドレス格納部２３に初回同期信号のアドレスが保持される。
【００２１】
ステップＳ４０３の判定が「ＮＯ」の場合、ステップＳ４０５に分岐してデータカウンタ２０をインクリメントし、初回同期アドレス格納部２３に格納されているアドレスよりも１ビット進んだところから同期信号の検出を再開する。
【００２２】
ステップＳ４０６で、同期カウンタ格納部２６を０にセットする。さらにステップＳ４０７で、ヘッダ情報解析器２２は、同期信号の後に続くヘッダ情報を解析してビットレートを算出する。
【００２３】
次に、ステップＳ４０８で、ヘッダ情報解析器２２は、フレームヘッダの解析結果から、ビットレートが不定を示す値であるか否かを判定する。なお、ビットレートが値“０ｘ００”及び値“０ｘ０ｆ”を有している場合は、そのビットレートが不定であると判定する。
【００２４】
ステップＳ４０８の判定が「ＹＥＳ」の場合、同期信号検出部１１の動作はステップＳ４１２に分岐する。また、ステップＳ４０８の判定が「ＮＯ」の場合、同期信号検出部１１の動作はステップＳ４０９に分岐する。
【００２５】
ステップＳ４０９では、ヘッダ情報解析器２２は、ヘッダ情報に基づいて次回の同期信号までの間隔を算出する。そして、ステップＳ４１０で、入力データを初回同期信号位置から次回同期信号位置まで読み飛ばして、次回同期信号位置のアドレスを次回同期信号アドレス格納部２５に格納する。
【００２６】
ステップＳ４１１で、次回同期信号位置のデータが同期信号であるか否かを判定し、判定が「ＮＯ」の場合にはステップＳ４１２に分岐し、「ＹＥＳ」の場合にはステップＳ４１３に分岐する。
【００２７】
ステップＳ４１２で、同期信号検出器２１で検出され同期信号と推定された値“０ｘｆｆｆ”は同期信号ではなかったとして、初回同期アドレス格納部２３に格納されているアドレスよりも任意のビット進んだところから同期信号の検出を再開する。
【００２８】
ステップＳ４１３で、同期カウンタ格納部２６をインクリメントし、ステップＳ４１４で、次回同期信号比較開始判定部２４は、データカウンタ２０の値が次回同期信号アドレス格納部２５の値と等しいか否かを判定する。
【００２９】
ステップＳ４１４の判定が「ＹＥＳ」の場合、再生装置に入力された入力信号は、ストリーム信号であると判定し（ステップＳ４１５）、判別動作を終了する。
【００３０】
ステップＳ４１４の判定が「ＮＯ」の場合、動作はステップＳ４１６に分岐する。ステップＳ４１６で、ヘッダ情報解析器２２は、同期信号の後に続くヘッダ情報を解析してビットレートを算出する。
【００３１】
次に、ステップＳ４１７で、ヘッダ情報解析器２２は、フレームヘッダの解析結果から、ビットレートが不定を示す値であるか否かを判定する。なお、ビットレートが値“０ｘ００”及び値“０ｘ０ｆ”を有している場合は、そのビットレートが不定であると判定する。
【００３２】
ステップＳ４１７の判定が「ＹＥＳ」の場合、同期信号検出部１１の動作はステップＳ４１２に分岐する。また、ステップＳ４１７の判定が「ＮＯ」の場合、同期信号検出部１１の動作はステップＳ４１８に分岐する。
【００３３】
ステップＳ４１８では、ヘッダ情報解析器２２は、ヘッダ情報に基づいて次回の同期信号までの間隔を算出する。そして、ステップＳ４１９で、入力データを初回同期信号位置から次回同期信号位置まで読み飛ばして、次回同期信号位置のアドレスを次回同期信号アドレス格納部２５に格納する。
【００３４】
ステップＳ４２０で、次回同期信号位置のデータが同期信号であるか否かを判定し、判定が「ＮＯ」の場合にはステップＳ４１２に分岐し、「ＹＥＳ」の場合にはステップＳ４１３に分岐する。
【００３５】
以上の動作により、前記入力信号がストリーム信号と判断された場合には、前記信号入力部１０が同期信号検出部１１の初回同期アドレス格納部２３に格納されているアドレスのデータを信号処理部１２に入力する一方、前記同期信号検出部１１が判定された入力信号の種類に応じた出力情報を前記信号処理部１２に入力し、前記信号処理部１２において、前記出力情報に基づいてストリーム信号の種類に対応したデコード処理を行い、出力調整部１３によりゲインをコントロールして出力する。
【特許文献１】特開２００２−１９０１５６号公報
【発明の開示】
【発明が解決しようとする課題】
【００３６】
しかしながら、上記従来例では、デコードを開始したときの信頼性が向上してノイズ発生を大幅に減少させることができるが、デコード処理中におけるノイズ発生の可能性をなくすことはできない。また、ＣＤに記録された入力信号がディスクの傷などにより信頼性が低い場合には、信号を再生することができなかったり、再生が開始できても同期信号を正しく検出できずにノイズが発生するおそれがある。また、複数種類のストリームをデコードすることのできる信号処理機能を有する再生装置においては、擬似の同期信号を検出してしまいノイズが発生する頻度が上がる。
【００３７】
本発明は、かかる点に鑑みてなされたものであり、その目的とするところは、可変長を含む任意のビットレートで圧縮符号化されたストリーム信号を、擬似同期信号に起因するノイズの発生を最小限に抑えて再生することにある。
【課題を解決するための手段】
【００３８】
本発明は、上記目的に対して、デコード処理中の入力信号において、ストリーム信号の同期信号に付随するストリーム情報の特徴を保存しておき、次回の同期信号に付随するストリーム情報の特徴と比較し、条件を満たせばストリームと判断してデコードをすることでノイズの発生を削減するようにした。
【００３９】
すなわち、請求項１の発明は、任意のビットレートで圧縮符号化され、単位処理フレームの始まりを示す同期信号と前記ビットレートの情報を示すフレームヘッダとが前記ビットレートにより決められた間隔で記録されているストリーム信号、又はＰＣＭデジタル音響信号の何れか一方を含む入力信号を入力する信号入力部と、
前記入力された入力信号から前記同期信号の検出を行うことにより前記入力信号の種類を判定する同期信号検出部と、
前記入力信号の種類に応じて前記同期信号検出部の動作条件を設定し、且つ出力を決定する出力情報を出力するホストコントローラと、
前記出力情報に応じた信号処理を前記入力信号に対して行う信号処理部と、
前記信号処理部で信号処理されたデータを出力する出力調整部とを備えていることを特徴とする。
【００４０】
請求項２の発明は、請求項１に記載された再生装置において、
複数種類の前記入力信号の信号処理を行うように構成されていることを特徴とする。
【００４１】
請求項３の発明は、請求項１又は２に記載された再生装置において、
前記同期信号検出部は、
前記入力信号のデータの量をカウントし、前記入力信号のアドレスを出力するデータカウンタと、
前記入力信号から前記同期信号を検出し、当該検出結果を示す検出信号を出力する同期信号検出器と、
前記検出信号に応答して、前記データカウンタから出力される前記同期信号の先頭のアドレスを格納する同期アドレス格納部と、
前記検出信号に応答して、連続して前記同期信号が入力されたときにカウントアップする同期信号カウンタ部と、
前記検出信号に応答して、前記同期信号の後に続くフレームヘッダ情報からビットレートを算出し、次の同期信号までのアドレス間隔を算出するヘッダ情報解析部と、
前記ヘッダ情報解析部の算出結果に基づいて次回同期信号のアドレスを算出し、当該アドレスデータを格納する次回同期信号アドレス格納部と、
前記次回同期信号アドレス格納部に格納されたアドレスデータと前記データカウンタの値とが一致したときに、前記同期信号検出器に対して同期信号の検出開始の判定を出力する同期信号比較開始判定部と、
前記同期信号カウンタ部の値に基づいて、前記入力信号が前記ストリーム信号であるか前記ＰＣＭデジタル音響信号であるかを判定し、判定情報を出力する判定出力部とを含むことを特徴とする。
【００４２】
請求項４の発明は、請求項３に記載された再生装置において、
前記出力調整部から出力された出力信号を所定のサンプリング周波数に変換するサンプリング周波数変換器をさらに備えていることを特徴とする。
【００４３】
請求項５の発明は、請求項４に記載された再生装置において、
前記同期信号検出部は、
前記ヘッダ情報解析器から出力されるサンプリング情報をカウントするサンプリングカウンタと、
前記サンプリングカウンタの値に基づいて、前記サンプリング周波数変換器にサンプリング周波数変換の開始を指示するサンプリング周波数判定部とをさらに備えていることを特徴とする。
【００４４】
請求項６の発明は、請求項３に記載された再生装置において、
前記同期信号検出部は、
前記ヘッダ情報解析器から出力されるストリーム種類情報をカウントするストリーム種類カウンタと、
前記ストリーム種類カウンタの値に基づいて、前記信号処理部にストリーム変換の開始を指示するストリーム種類判定部とをさらに備えていることを特徴とする。
【００４５】
請求項７の発明は、請求項１乃至６のうち何れか１項に記載された再生装置において、
前記ホストコントローラは、前記フレームヘッダ情報を解析して解析結果を出力し、前記解析結果に順位付けを行い、前記順位付けに基づいて解析すべき情報の再選択を行う手段を備えていることを特徴とする。
【００４６】
請求項８の発明は、請求項１乃至７のうち何れか１項に記載された再生装置の制御方法であって、
入力信号の一部のみをデコードし、
前記入力信号から同期信号を検出し、
前記同期信号の後に続くフレームヘッダ情報から次回の同期信号の位置を算出し、
前記次回の同期信号の位置に前記同期信号が存在すれば、前記入力信号をストリーム信号と判定し、
前記入力信号を前記ストリーム信号と判定できなかった場合には、前記検出された同期信号から所定の値進んだ位置から同期信号の検索を再開し、
前記同期信号の検索を繰り返し、所定の検索範囲内に前記同期信号が検出されない場合には、前記入力信号をＰＣＭデジタル音響信号と判定することを特徴とする。
【００４７】
請求項９の発明は、請求項５に記載された再生装置の制御方法であって、
前記ヘッダ情報解析器から出力されるサンプリング情報を前記サンプリングカウンタでカウントして、所定の目標値と一致するまでカウントアップし、
前記サンプリングカウンタの値と前記目標値とが一致した場合には、前記サンプリング周波数が安定したと判定し、
前記サンプリング周波数判定部により、前記サンプリング周波数変換器にサンプリング情報を提供することを特徴とする。
【００４８】
請求項１０の発明は、請求項９に記載された再生装置の制御方法において、
前記サンプリングカウンタの目標値は２以上の値であり、
前記目標値を固定する、又は前記ホストコントローラにより任意に設定することを特徴とする。
【００４９】
請求項１１の発明は、請求項６に記載された再生装置の制御方法であって、
前記ヘッダ情報解析器から出力されるストリーム種類情報を前記ストリーム種類カウンタでカウントして、所定の目標値と一致するまでカウントアップし、
前記ストリーム種類カウンタの値と前記目標値とが一致した場合には、前記ストリームの種類が安定したと判定し、
前記ストリーム種類判定部により、前記信号処理部にストリーム種類情報を提供することを特徴とする。
【００５０】
請求項１２の発明は、請求項１１に記載された再生装置の制御方法において、
前記ストリーム種類カウンタの目標値は２以上の値であり、
前記目標値を固定する、又は前記ホストコントローラにより任意に設定することを特徴とする。
【００５１】
請求項１３の発明は、請求項８乃至１２のうち何れか１項に記載された再生装置の制御方法において、
前記ホストコントローラにより、前記入力信号の入力ビット単位、入力されるデータの範囲、同期信号の再検索開始位置、及び比較するフレームヘッダ情報を任意に設定することを特徴とする。
【００５２】
請求項１４の発明は、請求項１３に記載された再生装置の制御方法において、
前記入力信号の入力ビット単位は１ビット以上の単位であり、
前記入力ビット単位を固定する、又は前記ホストコントローラにより任意に設定することを特徴とする。
【００５３】
請求項１５の発明は、請求項１３に記載された再生装置の制御方法において、
前記入力信号の入力されるデータの範囲は１フレーム以上のデータであり、
前記データの範囲を固定する、又は前記ホストコントローラにより任意に設定することを特徴とする。
【００５４】
請求項１６の発明は、請求項１３に記載された再生装置の制御方法において、
前記入力信号の同期信号の再検索開始位置は、前記検出された同期信号から１ビット以上ずれた位置であり、
前記再検索開始位置を固定する、又は前記ホストコントローラにより任意の値を指定することを特徴とする。
【００５５】
請求項１７の発明は、請求項１３に記載された再生装置の制御方法において、
前記入力信号の比較するフレームヘッダ情報は１つ以上の情報であり、
前記フレームヘッダ情報を固定する、又は前記ホストコントローラにより任意に設定することを特徴とする。
【００５６】
請求項１８の発明は、請求項１３に記載された再生装置の制御方法において、
前記入力信号の比較するフレームヘッダ情報の判定条件は、初回のヘッダ情報と次回のヘッダ情報とが一致したときにカウントされるカウンタ情報に基づいており、
前記判定条件を固定する、又は前記ホストコントローラにより任意に設定することを特徴とする。
【発明の効果】
【００５７】
本発明によると、任意の不定のビットレートで圧縮符号化され、単位処理フレームの始まりを示す同期信号と前記ビットレートの情報を示すフレームヘッダとが前記ビットレートにより決められた間隔で記録されているストリーム信号、又はＰＣＭデジタル音響信号の何れか一方を含む入力信号が入力される再生装置及びその制御方法において、入力が想定されるストリーム信号の同期信号及び前記同期信号の後に続くヘッダ情報の一部と、次の同期信号及び前記次の同期信号の後に続くヘッダ情報の一部との関連付けを行うことにより、擬似同期信号によるノイズ発生の可能性を削減することができる。
【発明を実施するための最良の形態】
【００５８】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００５９】
（実施形態１）
本発明の実施形態１に係る再生装置について、図６〜図１１を参照しながら説明する。まず、再生装置に入力される入力信号は、任意のビットレートで圧縮符号化され、単位処理フレームの始まりを示す同期信号と前記ビットレートの情報を示すフレームヘッダとが前記ビットレートにより決められた間隔で記録されているストリーム信号、又はＰＣＭデジタル音響信号である。
【００６０】
本実施形態１では具体的な数値を挙げて説明するために、上述した従来例と同様に、ストリーム信号を符号化方式の一つであるＭＰ３として説明を行なう。
【００６１】
ＭＰ３のストリーム構成は、従来例と同じであるので説明を省略する。ＭＰ３の場合、ビットレートは、値“０ｘ００”から値“０ｘ０ｆ”を有しているが、本実施形態１においても、ビットレートが値“０ｘ００”及び値“０ｘ０ｆ”のときはビットレートが不定であるとする。
【００６２】
図６にＭＰ３の再生装置の構成を示す。再生装置の基本構成は、上述した従来例と同じであるので説明を省略する。図７に同期信号検出部３０の構成を示し、図８に同期信号検出部３０の処理の流れを示す。同期信号の検出方法は、上述した従来例と同じであるので説明を省略する。
【００６３】
ヘッダ情報解析器４２は、入力されたヘッダ情報からビットレート情報を解析する。また、このとき解析された前記ビットレート情報以外のその他のヘッダ情報を、ヘッダ情報格納器４９に保存する。
【００６４】
図８に示すように、ステップＳ５０１で、ヘッダ情報解析器２２は、同期信号の後に続くヘッダ情報を解析してビットレートを算出するとともに、前記ビットレート以外のその他の情報をヘッダ情報格納器４９に保存する。そして、ステップＳ４０８でビットレートが不定でないと判定された入力信号は、さらにステップＳ５０２で、ヘッダ情報格納器４９に格納されているその他の情報が不定を示すものか否かを判定する。
【００６５】
ステップＳ５０２の判定が「ＹＥＳ」の場合、同期信号検出部３０の動作はステップＳ４１２に分岐する。また、ステップＳ５０２の判定が「ＮＯ」の場合、同期信号検出部３０の動作はステップＳ４０９に分岐する。
【００６６】
そして、従来例と同様の手順で次回の同期信号の検出を行い、ステップＳ４１４の判定が「ＮＯ」の場合、動作はステップＳ５０３に分岐する。ステップＳ５０３で、ヘッダ情報解析器２２は、同期信号の後に続くヘッダ情報を解析してビットレートを算出するとともに、その他の情報をヘッダ情報格納器４９に保存する。
【００６７】
次に、ステップＳ４１７で、ヘッダ情報解析器２２は、フレームヘッダの解析結果から、ビットレートが不定を示す値であるか否かを判定する。なお、ビットレートが値“０ｘ００”及び値“０ｘ０ｆ”を有している場合は、そのビットレートが不定であると判定する。
【００６８】
ステップＳ４１７の判定が「ＹＥＳ」の場合、同期信号検出部１１の動作はステップＳ４１２に分岐する。また、ステップＳ４１７の判定が「ＮＯ」の場合、同期信号検出部３０の動作はステップＳ５０４に分岐する。
【００６９】
ステップＳ５０４では、ヘッダ情報格納器４９に格納されているその他の情報が不定を示すものか否かを判定する。
【００７０】
ステップＳ５０４の判定が「ＹＥＳ」の場合、同期信号検出部３０の動作はステップＳ５０５に分岐する。また、ステップＳ５０４の判定が「ＮＯ」の場合、同期信号検出部３０の動作はステップＳ４１２に分岐する。
【００７１】
ステップＳ５０５では、初回のヘッダ情報と次回のヘッダ情報とを比較し、ステップＳ５０６で比較結果を検討して「ＯＫ」（同期信号である）と判定したらステップＳ５０７で入力信号のデコードを開始する。ステップＳ５０６で比較結果が「ＮＯ」（擬似同期信号である）と判定したら、ステップＳ４１２に分岐して同期信号の検索をやり直す。
【００７２】
図９に前記その他のヘッダ情報の構成図を示し、図１０にヘッダ情報解析の判定の流れを示す。ＭＰ３のヘッダ情報には、同期信号の間隔を示すビットレートインデックス５２の他に、レイヤー５１、サンプリング周波数５３、エンファシス５４など、ＭＰ３のストリームであると判断できる情報が含まれている。これらの情報の判定を追加することにより、入力された同期信号が擬似同期信号でないと判定できる確率を高めることができる。
【００７３】
図１０に示すように、ステップＳ６０１で、ヘッダ情報解析器４２は、入力されたヘッダ情報を解析して、ビットレートインデックス５２、レイヤー５１、サンプリング周波数５３、エンファシス５４の値を算出する。
【００７４】
ステップＳ６０２で、ビットレートインデックス５２の値が不定を示す値“０ｘ００”又は値“０ｘ０ｆ”を有している場合には、入力信号はストリーム信号ではないと判定してステップＳ６０８に分岐する。ビットレートインデックス５２の値がそれ以外の値であれば、ステップＳ６０３に分岐する。
【００７５】
ステップＳ６０３で、レイヤー５１の値が値“０ｘ０１”を有している場合には、入力信号はストリーム信号ではないと判定してステップＳ６０８に分岐する。レイヤー５１の値がそれ以外の値であれば、ステップＳ６０４に分岐する。
【００７６】
ステップＳ６０４で、サンプリング周波数５３の値が値“０ｘ０３”を有している場合には、入力信号はストリーム信号ではないと判定してステップＳ６０８に分岐する。サンプリング周波数５３の値がそれ以外の値であれば、ステップＳ６０５に分岐する。
【００７７】
ステップＳ６０５で、エンファシス５４の値が値“０ｘ０３”を有している場合には、入力信号はストリーム信号ではないと判定し、ステップＳ６０８に分岐する。エンファシス５４の値がそれ以外の値であれば、ステップＳ６０６に分岐する。
【００７８】
ステップＳ６０６で、ヘッダ情報が前回のヘッダ情報と同じであるか否かを判定し、「ＹＥＳ」の場合には、ステップＳ６０７に分岐して次回同期信号入力アドレスの算出が行われる。
【００７９】
ステップＳ６０６の判定が「ＮＯ」の場合、ステップＳ６０８に分岐し、同期信号検出器４１で検出され同期信号と推定された値“０ｘｆｆｆ”は同期信号ではなかったとして、同期アドレス格納部４３に格納されているアドレスよりも１ビット進んだところから同期信号の検出を再開する。
【００８０】
以上により、入力信号から検出された同期信号が擬似同期信号でないと判定できる確率を高めることができ、ノイズの発生を抑えることができる。
【００８１】
ここでは、ヘッダ情報に含まれるすべての情報について判定を行っているが、実現するシステムの処理能力やハード資源などにより、判定をする範囲を可変することができる。
【００８２】
次に、実際に入力される信号で、誤判定しやすいものを例に挙げて本実施形態１における再生装置の制御方法の有効性を説明する。図１１は誤判定しやすい入力信号の例である。ストリーム信号の所々に同期信号６０と同じ信号（擬似同期信号）６１を含んでいるものである。この信号の場合、ヘッダ情報のビットレートに従った間隔で同期信号が検出された場合、ノイズが発生する可能性は高い。
【００８３】
しかしながら、同期信号が検出された場合でも、ステップＳ５０５で前回のヘッダ情報と今回のヘッダ情報とを比較し、ステップＳ５０６で比較結果を検討して「ＯＫ」（同期信号である）と判定したらステップＳ５０７でデコードを開始し、ステップＳ５０６で比較結果が「ＮＯ」（擬似同期信号である）と判定したらステップＳ４１２に分岐して同期信号の検索をやり直すことにより、擬似同期信号の判定ができ、ノイズの発生を防ぐことができる。
【００８４】
以上、同期信号の後に続くヘッダ情報を次の同期信号のヘッダ情報まで解析することによって、ノイズの発生を少なくできる再生装置を構成することができる。
【００８５】
（実施形態２）
本発明の実施形態２を図１２〜図１４を参照しながら説明する。実施形態２における再生装置の構成及び処理の流れは、基本的に実施形態１と同様であるので、相違点について述べる。
【００８６】
図１２に示すように、再生装置の構成は、実施形態１の再生装置に対しサンプリング周波数変換器７０を搭載したものである。
【００８７】
前記サンプリング周波数変換器７０は、前記出力調整部１３から出力された出力信号を所定のサンプリング周波数に変換するものであり、ストリーム信号に含まれるサンプリング周波数情報により、サンプリングする周波数が決定される。このような構成の場合、擬似同期信号とそれに続く擬似のサンプリング周波数情報により誤動作し、頻繁に切り替えが発生した場合にノイズが発生する場合がある。
【００８８】
前記実施形態１においては、サンプリング周波数が不定以外は再生されるので、擬似同期信号による誤動作のためノイズを発生する場合がある。また、初回同期信号のヘッダ情報と次回同期信号のヘッダ情報との一致を比較をする場合は、サンプリング周波数が混在するストリームでは再生できないものが出てくる。
【００８９】
図１３に同期信号検出部７１の構成を示し、図１４に同期信号検出部７１の処理の流れを示す。本発明の実施形態２では、同期信号検出部７１に、ヘッダ情報解析器４２から出力されるサンプリング情報をカウントするサンプリング周波数カウンタ８０と、前記サンプリングカウンタの値に基づいて、前記サンプリング周波数変換器７０にサンプリング周波数変換の開始を指示するサンプリング周波数判定部８１とを搭載している。
【００９０】
次に、図１４に基づいて同期信号検出部７１の動作を説明する。前記同期信号検出部７１は、ステップＳ７０１〜Ｓ７０８を実行する。
【００９１】
ステップＳ７０１で、ヘッダ情報解析器４２は、同期信号の後に続くヘッダ情報を解析してビットレートを算出するとともに、サンプリング周波数を解析して保存する。
【００９２】
ステップＳ７０２で、ヘッダ情報の解析が１回目か否かを判定し、「ＹＥＳ」の場合には、ステップＳ７０３に分岐してサンプリングカウンタを０にセットし、「ＮＯ」の場合には、ステップＳ７０４に分岐する。
【００９３】
ステップＳ７０４で、サンプリング周波数が値“０ｘ０３”を有している場合には、入力信号はストリーム信号ではないと判定してステップＳ７０８に分岐する。サンプリング周波数がそれ以外の値であれば、ステップＳ７０４に分岐する。
【００９４】
ステップＳ７０５で、サンプリング周波数別にカウントするサンプリング周波数カウンタ８０の一致した番号のカウンタをインクリメントし、該当しないサンプリング周波数のカウンタをクリアする。
【００９５】
ステップＳ７０６で、次回同期信号のサンプリング周波数カウンタ８０のカウンタ値が所定の値に達した場合、サンプリング周波数判定部８１によりサンプリング周波数が設定され、ステップＳ７０７でサンプリング周波数変換器７０を動作させる。サンプリング周波数カウンタ８０のカウンタ値が所定の値に達していない場合、ステップＳ７０８に分岐し、現状のサンプリング周波数の設定を維持したまま、同期アドレス格納部４３に格納されているアドレスよりも１ビット進んだところから同期信号の検出を再開する。
【００９６】
このことにより、擬似同期信号により誤動作して、頻繁に切り替えが発生した場合のノイズの発生を削減することが可能となる。
【００９７】
（実施形態３）
本発明の実施形態３を図１５〜図１７を参照しながら説明する。実施形態３における再生装置の構成及び処理の流れは、基本的に実施形態１と同様であるので、相違点について述べる。
【００９８】
図１５に示すように、再生装置の構成は、実施形態１の再生装置に対し、１種類以上のストリームをデコードすることができる信号処理部９０を搭載したものである。
【００９９】
前記信号処理部９０は、ストリーム信号に含まれるレイヤー情報により、デコードする信号処理方法が決定される。このような構成の場合、擬似同期信号とそれに続く擬似のレイヤー情報により誤動作し、頻繁に切り替えが発生した場合にノイズが発生する場合がある。
【０１００】
前記実施形態１においては、ストリーム種類情報が不定以外は再生されるので、擬似同期信号による誤動作のためノイズを発生する確率が上がる。また、初回同期信号のヘッダ情報と次回同期信号のヘッダ情報との一致を比較をする場合は、ストリームの種類が混在するストリームでは再生できないものが出てくる。
【０１０１】
図１６に同期信号検出部９１の構成を示し、図１７に同期信号検出部９１の処理の流れを示す。本発明の実施形態３では、同期信号検出部９１に、ヘッダ情報解析器４２から出力されるストリーム種類情報をカウントするストリーム種類カウンタ１００と、前記ストリーム種類カウンタ１００の値に基づいて、信号処理部９０にストリーム変換の開始を指示するストリーム種類判定部１０１とを搭載している。
【０１０２】
次に、図１７に基づいて同期信号検出部９１の動作を説明する。前記同期信号検出部９１は、ステップＳ８０１〜Ｓ８０８を実行する。
【０１０３】
ステップＳ８０１で、ヘッダ情報解析器４２は、同期信号の後に続くヘッダ情報を解析してビットレートを算出するとともに、レイヤー情報を解析して保存する。
【０１０４】
ステップＳ８０２で、ヘッダ情報の解析が１回目か否かを判定し、「ＹＥＳ」の場合には、ステップＳ８０３に分岐してストリーム種類カウンタを０にセットし、「ＮＯ」の場合には、ステップＳ８０４に分岐する。
【０１０５】
ステップＳ８０４で、レイヤーが値“０ｘ０１”を有している場合には、入力信号はストリーム信号ではないと判定してステップＳ８０８に分岐する。レイヤーがそれ以外の値であれば、ステップＳ８０４に分岐する。
【０１０６】
ステップＳ８０５で、ストリーム種類別にカウントするストリーム種類カウンタ１００の一致した番号のカウンタをインクリメントし、該当しないストリーム種類情報のカウンタをクリアする。
【０１０７】
ステップＳ８０６で、次回同期信号のストリーム種類カウンタ１００のカウンタ値が所定の値に達した場合、レイヤーが設定され、ステップＳ８０７でストリーム種類判定部１０１を動作させる。ストリーム種類カウンタ１００のカウンタ値が所定の値に達していない場合、ステップＳ８０８に分岐し、現状のレイヤーの設定を維持したまま、同期アドレス格納部４３に格納されているアドレスよりも１ビット進んだところから同期信号の検出を再開する。
【０１０８】
このことにより、擬似同期信号により誤動作して、頻繁にレイヤーの切り替えが発生した場合のノイズの発生を削減することが可能となる。
【０１０９】
（実施形態４）
本発明の実施形態４を図１８及び図１９を参照しながら説明する。実施形態４における再生装置の構成及び処理の流れは、基本的に実施形態１〜３と同様であるので、相違点について述べる。
【０１１０】
図１８に示すように、再生装置の構成は、実施形態３の再生装置に対し、ホストコントローラ１１０及びサンプリング周波数変換器７０を搭載したものである。
【０１１１】
前記ホストコントローラ１１０は、入力信号の種類に応じて同期信号検出部１１１、信号処理部９０及びサンプリング周波数変換器７０の動作条件を設定する。
【０１１２】
次に、図１９に基づいて同期信号検出部１１１の動作を説明する。前記同期信号検出部１１１は、ステップＳ９０１〜Ｓ９１４を実行する。
【０１１３】
ステップＳ９０１で、ホストコントローラ１１０を動作させ、ステップＳ９０２で、ヘッダ情報の解析を固定値で制御するかホストコントローラ１１０により任意に設定するかを決定する。固定値で制御する場合、ステップＳ９１１に分岐し、ホストコントローラ１１０で制御する場合、ステップＳ９０３に分岐する。
【０１１４】
ステップＳ９０３で、ヘッダ情報に重み付けを行うか否かを決定し、「ＹＥＳ」の場合にはステップＳ９０４に分岐し、「ＮＯ」の場合にはステップＳ９１１に分岐する。
【０１１５】
ステップＳ９０４で、ホストコントローラ１１０によりヘッダ情報の解析範囲の設定及び判定を行う。ステップＳ９１１では、固定値でヘッダ情報の解析及び判定を行う。
【０１１６】
ステップＳ９０５で、サンプリングカウンタを固定値とするかホストコントローラ１１０により設定するかを決定し、固定の場合にはステップＳ９１２に分岐し、ホストコントローラ１１０で設定する場合には、ステップＳ９０６に分岐する。
【０１１７】
ステップＳ９０６で、ホストコントローラ１１０によりサンプリングカウンタの設定及び判定を行う。ステップＳ９１２では、固定値でサンプリングカウンタの設定及び判定を行う。
【０１１８】
ステップＳ９０７で、ストリーム種類カウンタを固定値とするかホストコントローラ１１０により設定するかを決定し、固定の場合にはステップＳ９１３に分岐し、ホストコントローラ１１０で設定する場合には、ステップＳ９０８に分岐する。
【０１１９】
ステップＳ９０８で、ホストコントローラ１１０によりストリーム種類カウンタの設定及び判定を行う。ステップＳ９１３では、固定値でストリーム種類カウンタの設定及び判定を行う。
【０１２０】
ステップＳ９０９で、ヘッダ情報に行った重み付けの補正を行うか否かを決定し、「ＹＥＳ」の場合には、ステップＳ９１４に分岐して重み付けの変更を行い、「ＮＯ」の場合には、ステップＳ９１０に分岐して信号処理部９０に出力情報を出力する。
【０１２１】
以上のように、同期信号検出部１１１を制御するホストコントローラ１１０が、ヘッダ情報解析器４２が行うフレーム状態データを変更することによりエラー耐性を変更することができる。また、固定値、又はホストコントローラ１１０が指定する条件で、擬似同期信号か同期信号かの判定を行っているとき、同期信号検出部１１１が、判定状況をホストコントローラ１１０に知らせることにより、ストリームの状態に応じて、外部から判定をするか否かの重み付け情報あるいは順位付けを任意に変更でき、より正確に入力信号を判別することができる。
【０１２２】
さらに、ホストコントローラ１１０が、外部からストリーム種類カウンタ１００の目標値を任意に変更することにより、処理能力やストリームに応じて同期信号及びストリームの判別することができる。
【０１２３】
なお、実施形態２の再生装置にホストコントローラ１１０を搭載した場合には、ホストコントローラ１１０が、外部からサンプリング周波数カウンタの目標値を任意に変更することにより、処理能力やストリームに応じてサンプリング周波数の判別することができる。
【産業上の利用可能性】
【０１２４】
本発明は、音声信号を再生する際のノイズの発生を削減することができ、音声信号を再生可能な再生装置等に有用である。
【図面の簡単な説明】
【０１２５】
【図１】従来のストリーム信号例の構成を示す図である。
【図２】従来の再生装置を示す図である。
【図３】従来の同期信号検出部の構成を示す図である。
【図４】従来の同期信号検出方法を示す図である。
【図５】従来の同期信号検出部の流れを示す図である。
【図６】本発明に係る実施形態１の再生装置の構成を示す図である。
【図７】本発明に係る実施形態１の同期信号検出部の構成を示す図である。
【図８】本発明に係る実施形態１の同期信号検出部の流れを示す図である。
【図９】本発明に係る実施形態１のヘッダ情報の構成を示す図である。
【図１０】本発明に係る実施形態１のヘッダ情報の判定方法を示す図である。
【図１１】誤判定しやすい入力信号例を示す図である。
【図１２】本発明に係る実施形態２の再生装置の構成を示す図である。
【図１３】本発明に係る実施形態２の同期信号検出部の構成を示す図である。
【図１４】本発明に係る実施形態２のサンプリング周波数情報の判定方法を示す図である。
【図１５】本発明に係る実施形態３の再生装置の構成を示す図である。
【図１６】本発明に係る実施形態３の同期信号検出部の構成を示す図である。
【図１７】本発明に係る実施形態３のストリーム種類情報の判定方法を示す図である。
【図１８】本発明に係る実施形態４の再生装置の構成を示す図である。
【図１９】本発明に係る実施形態４のホストコントロールによる判定方法を示す図である。
【符号の説明】
【０１２６】
１    フレーム
２    同期信号
３    フレームヘッダ
４    サブフレームヘッダ
１０    信号入力部
１１    同期信号検出部
１２    信号処理部
１３    出力調整部
２０    データカウンタ
２１    同期信号検出器
２２    ヘッダ情報解析器
２３    初回同期アドレス格納部
２４    次回同期信号比較開始判定部
２５    次回同期信号アドレス格納部
２６    同期カウンタ格納部
２７    判定出力部
２８    入力信号
３０    同期信号検出部
４０    データカウンタ
４１    同期信号検出器
４２    ヘッダ情報解析器
４３    同期アドレス格納部
４４    次回同期信号比較開始判定部
４５    次回同期信号アドレス格納部
４６    同期カウンタ格納部
４７    判定出力部
４８    入力信号
４９    ヘッダ情報格納器
５１    レイヤー
５２    ビットレートインデックス
５３    サンプリング周波数
５４    エンファシス
６０    同期信号
６１    擬似同期信号
７０    サンプリング周波数変換器
７１    同期信号検出部
８０    サンプリング周波数カウンタ
８１    サンプリング周波数判定部
９０    信号処理部
９１    同期信号検出部
１００  ストリーム種類カウンタ
１０１  ストリーム種類判定部
１１０  ホストコントローラ
１１１  同期信号検出部
【図１】
2005259220.tif 000003
【図２】
2005259220.tif 000004
【図３】
2005259220.tif 000005
【図４】
2005259220.tif 000006
【図５】
2005259220.tif 000007
【図６】
2005259220.tif 000008
【図７】
2005259220.tif 000009
【図８】
2005259220.tif 000010
【図９】
2005259220.tif 000011
【図１０】
2005259220.tif 000012
【図１１】
2005259220.tif 000013
【図１２】
2005259220.tif 000014
【図１３】
2005259220.tif 000015
【図１４】
2005259220.tif 000016
【図１５】
2005259220.tif 000017
【図１６】
2005259220.tif 000018
【図１７】
2005259220.tif 000019
【図１８】
2005259220.tif 000020
【図１９】
2005259220.tif 000021